(57)【要約】【課題】  ＣＴＰ印刷を行うにあたり、印刷版作成装置におけるイメージング装置の位置補正の制御を行うことなく、２値化された印刷版作成用データの印刷版を作成する際のイメージ位置を補正することなく、さらに、ファンアウトの発生に関わらず、先刷りの印刷画像と後刷りの印刷画像との位置を精度よく合わせることができる印刷版作成用データ生成方法及び装置並びに印刷版作成用データ生成プログラム及び記録媒体を提供する。【解決手段】  被印刷体Ｑにおける伸縮すべき方向Ｙの補正値を予め記憶しておき、印刷版作成用多値データＡＤｃ，ＡＤｍ，ＡＤｙ，ＡＤｋについて、前記補正値に基づいて、伸縮すべき方向の対応する方向Ｙ’の伸縮補正を行い、２値データに変換する印刷版作成用データ生成方法及び装置並びに印刷版作成用データ生成プログラム及び記録媒体。【選択図】  図１
2005134604.tif 000002
【特許請求の範囲】
【請求項１】
複数の印刷画像にそれぞれ対応する複数の印刷版を用いて被印刷体に当該複数の印刷画像を順次印刷するにあたり、当該複数の印刷版を作成するための印刷版作成用データを生成する方法であって、
前記複数の印刷版による前記複数の印刷画像の前記被印刷体へのそれぞれの印刷について、各印刷がなされるときの当該被印刷体における伸縮すべき方向の伸縮量に対する補正値を予め記憶しておく記憶ステップと、
前記複数の印刷画像に対応する印刷用データを印刷版作成用多値データに変換する変換ステップと、
前記変換ステップにて変換された前記印刷版作成用多値データについて、前記記憶ステップにて予め記憶しておいた前記補正値に基づいて、前記伸縮すべき方向に対応する方向の伸縮補正を行う補正ステップと、
前記補正ステップにて伸縮補正された前記印刷版作成用多値データを、網点化された印刷版作成用２値データに変換する２値化処理ステップと
を含むことを特徴とする印刷版作成用データ生成方法。
【請求項２】
印刷条件を検知する印刷条件検知ステップをさらに含み、前記記憶ステップでは、前記補正値と前記印刷条件の関係を予め登録しておき、前記補正ステップでは、前記印刷条件検知ステップにて検知された前記印刷条件から前記記憶ステップにて記憶された該印刷条件に対応する前記補正値を自動的に選択し、当該選択された補正値に基づいて伸縮補正を行う請求項１記載の印刷版作成用データ生成方法。
【請求項３】
前記記憶ステップでは、前記複数の印刷版による前記複数の印刷画像の前記被印刷体へのそれぞれの印刷について、各印刷がなされるときの当該被印刷体における所定の第１方向に沿う複数の位置に対する前記第１方向を横切る所定の第２方向の伸縮すべき伸縮量に対する補正値を予め記憶しておき、
前記変換ステップでは、前記複数の印刷画像に対応する印刷用データについて、それぞれが前記第２方向に対応する第２’方向に沿って複数画素並設される画素のラインが前記第１方向に対応する第１’方向に沿って複数ライン配置される画素データからなる印刷版作成用多値データに変換し、
前記補正ステップでは、前記変換ステップにて変換された前記印刷版作成用多値データについて、各ラインに対応する前記記憶ステップにて予め記憶しておいた前記補正値に基づいて、当該ラインにおける前記第２’方向の伸縮補正を行う請求項１又は２記載の印刷版作成用データ生成方法。
【請求項４】
複数の印刷画像にそれぞれ対応する複数の印刷版を用いて被印刷体に当該複数の印刷画像を順次印刷するにあたり、当該複数の印刷版を作成するための印刷版作成用データを生成する装置であって、
前記複数の印刷版による前記複数の印刷画像の前記被印刷体へのそれぞれの印刷について、各印刷がなされるときの当該被印刷体における伸縮すべき方向の伸縮量に対する補正値を予め記憶しておく記憶手段と、
前記複数の印刷画像に対応する印刷用データを印刷版作成用多値データに変換する変換手段と、
前記変換手段にて変換された前記印刷版作成用多値データについて、前記記憶手段にて予め記憶しておいた前記補正値に基づいて、前記伸縮すべき方向に対応する方向の伸縮補正を行う補正手段と、
前記補正手段にて伸縮補正された前記印刷版作成用多値データを、網点化された印刷版作成用２値データに変換する２値化処理手段と
を備えることを特徴とする印刷版作成用データ生成装置。
【請求項５】
印刷条件を検知する印刷条件検知手段をさらに含み、前記記憶手段では、前記補正値と前記印刷条件の関係を予め登録しておき、前記補正手段では、前記印刷条件検知手段にて検知された前記印刷条件から前記記憶手段にて記憶された該印刷条件に対応する前記補正値を自動的に選択し、当該選択された補正値に基づいて伸縮補正を行う請求項４記載の印刷版作成用データ生成装置。
【請求項６】
前記記憶手段では、前記複数の印刷版による前記複数の印刷画像の前記被印刷体へのそれぞれの印刷について、各印刷がなされるときの当該被印刷体における所定の第１方向に沿う複数の位置に対する前記第１方向を横切る所定の第２方向の伸縮すべき伸縮量に対する補正値を予め記憶しておき、
前記変換手段では、前記複数の印刷画像に対応する印刷用データについて、それぞれが前記第２方向に対応する第２’方向に沿って複数画素並設される画素のラインが前記第１方向に対応する第１’方向に沿って複数ライン配置される画素データからなる印刷版作成用多値データに変換し、
前記補正手段では、前記変換手段にて変換された前記印刷版作成用多値データについて、各ラインに対応する前記記憶手段にて予め記憶しておいた前記補正値に基づいて、当該ラインにおける前記第２’方向の伸縮補正を行う請求項４又は５記載の印刷版作成用データ生成装置。
【請求項７】
請求項１から３のいずれかに記載の印刷版作成用データ生成方法の各ステップをコンピュータに実行させるための印刷版作成用データ生成プログラム。
【請求項８】
請求項７記載の印刷版作成用データ生成プログラムを記録したコンピュータ読み取り可能な記録媒体。
【発明の詳細な説明】
【技術分野】
【０００１】
本発明は、印刷版作成用データ生成方法及び装置並びに印刷版作成用データ生成プログラム及び当該プログラムを記録したコンピュータ読み取り可能な記録媒体に関する。
【背景技術】
【０００２】
複数の印刷画像（例えば、シアン色（Ｃ）、マゼンタ色（Ｍ）、イエロー色（Ｙ）及びブラック色（Ｋ）のような互いに異なる複数の基本色の印刷画像）にそれぞれ対応する複数の印刷版を用いて被印刷体（例えば、印刷用紙）に当該複数の印刷画像を順次印刷する印刷機（例えば、多色印刷機）では、一般的に、各印刷版にインク、或いはインク及び水が供給され、当該インク等が供給された各印刷版から所定の搬送方向に搬送される被印刷体にインクが順次転写されることで、当該被印刷体に印刷画像（例えば、多色印刷画像）が印刷される。このとき、各印刷版により印刷される各印刷画像は被印刷体において印刷位置が一致するように印刷される。
【０００３】
このような印刷版を用いた印刷技術の分野においては、近年、印刷画像に対応する印刷用データに基づいて直接的に印刷版を作成して印刷するＣＴＰ（Computer To Plate）印刷が注目されている。このＣＴＰ印刷の印刷手法としては、例えば、
（ａ）印刷用データ作成装置（例えば、コンピュータにレイアウト編集ソフト等を搭載したもの）を用いて、印刷画像に対応する印刷用データ（例えば、アドビシステムズ社のＰｏｓｔＳｃｒｉｐｔ（登録商標）等のページ記述言語（ＰＤＬ: Page Description Language）による印刷用データ）を作成し、該作成された印刷用データを、印刷版作成用データ生成装置（例えば、ＲＩＰ（Raster Image Processor）やコンピュータにソフトウェアＲＩＰを搭載したもの）を用いて、印刷版作成用データ（例えば、ビットマップ展開されたラスターデータ）に変換し、また、該変換された印刷版作成用データを２値化（例えば網点化）処理し、さらに、該２値化（例えば網点化され、網展開）された印刷版作成用データに基づき、印刷版作成装置を用いて、印刷版を作成し、こうして作成された印刷版を印刷機に設けることで被印刷体に印刷を行う場合、
（ｂ）前記の（ａ）のように、印刷用データ作成装置を用いて、印刷画像に対応する印刷用データを作成し、該作成された印刷用データに基づいて、印刷版作成用データ生成装置を用いて、２値化された印刷版作成用データを生成し、さらに、該２値化された印刷版作成用データに基づき、印刷版作成装置を備えた印刷機（さらに言えば、印刷機において版を作成可能なオンプレス方式のＤＩ（Direct Imaging）印刷機）を用いて、印刷版を作成するとともに該作成された印刷版で被印刷体に印刷を行う場合を挙げることができる。
【発明の開示】
【発明が解決しようとする課題】
【０００４】
いずれにしても複数の印刷版を用いた印刷機（例えば、多色印刷機）で印刷を行う場合においては、被印刷体（例えば、印刷用紙）の質（種類、サイズ、厚さ）、印刷の際の被印刷体に加わる圧力、或いは使用する水の量等の印刷条件によって、被印刷体が伸縮により変形して（通常は４角形なものが台形の形状に近い形で変形して）しまい、例えば、先刷りの印刷画像と後刷りの印刷画像との位置が合わず、各印刷画像Ｃ，Ｍ，Ｙ，Ｋの位置がずれてしまうという現象が生じることがある。尚、画像数が多くなるとこの影響はさらに大きくなる。
【０００５】
このような問題を解決するため、前記のＣＴＰ印刷においては、従来、前記（ａ）の場合には、例えば、図７（Ａ）に示すように、印刷版作成装置４０における未作成の刷版に印刷画像に対応する画像を形成するイメージング装置４１を補正する装置３０を設け、印刷用データ作成装置１０により作成された印刷用データに基づいて印刷版作成用データ生成装置（例えばＲＩＰ）２０’にて２値化された、例えば、ＲＩＰ展開された印刷版作成用データを生成した後、該生成された印刷版作成用２値化データに基づいて印刷版作成装置４０にて複数の印刷版Ａｃ’，Ａｍ’，Ａｙ’，Ａｋ’を順次作成する際に、前記の装置３０によりイメージング装置４１を制御することで各印刷版を作成する際のイメージ位置（すなわち印刷版への焼き付け位置）の補正を行っている。また、前記（ｂ）の場合には、例えば、図７（Ｂ）に示すように、各印刷版作成装置４０ｃ，４０ｍ，４０ｙ，４０ｋにおけるイメージング装置４１を補正する装置３０をそれぞれ設け、印刷用データ作成装置１０により作成された印刷用データに基づいて印刷版作成用データ生成装置（例えばＲＩＰ）２０’にて２値化された、例えば、ＲＩＰ展開された印刷版作成用データを生成した後、該生成された印刷版作成用２値化データに基づいてＤＩ印刷機５０’の複数の印刷版作成装置４０ｃ，４０ｍ，４０ｙ，４０ｋにて複数の印刷版Ａｃ’，Ａｍ’，Ａｙ’，Ａｋ’をそれぞれ作成する際に、前記の各装置３０によりそれぞれのイメージング装置４１を制御することで各印刷版を作成する際のイメージ位置（すなわち印刷版への各ドット（画素）焼き付け位置）の補正を行っている（例えば、特許文献１，５，６，７参照）。
【０００６】
しかしながら、前記のように２値化、例えば、網展開された、ＲＩＰ展開後の印刷版作成用２値化データの印刷版への焼き付け位置を補正する印刷手法では、印刷版作成装置におけるイメージング装置の制御を行わなければならず、従って、イメージング装置毎に補正する装置を設ける必要があり、従来に比較して余分な装置が必要となり、ひいては装置のコストアップにつながる。また、ＲＩＰ展開後の印刷版作成用データの印刷版を作成する際のイメージ位置を補正することで、本来は印刷版作成用データにて構成されるイメージングのドット（画素）の間がつながっていないものがつながるなどの印刷版作成の際のイメージ位置補正に起因する印刷品質の低下を招く。
【０００７】
そこで、図７（Ｃ）に示すような印刷用データ作成装置（コンピュータに面付けソフト等を搭載したもの）において処理される印刷用データを作成する際に位置補正を行う印刷手法が提案されている（例えば、特許文献２，３，４参照）。
【０００８】
しかしながら、例えば、被印刷体は、印刷されるにあたって、先端が挟持された状態で、圧胴やゴム胴等の各胴間でしごかれつつ搬送されることで、図８に誇張して示すように、被印刷体（例えば印刷用紙Ｑ）の搬送方向（図中Ｘ方向）最下流側から最上流側にかけて搬送方向Ｘを横切る方向（図中Ｙ方向）に次第に伸びる（図示例のように台形状に伸びる）現象（いわゆるファンアウト）が生じることがあり、さらに、この現象は、印刷を重ねるとより顕著となる傾向にあり、それだけ各印刷画像Ｃ，Ｍ，Ｙ，Ｋの位置がずれてしまう。この場合、被印刷体（例えば印刷用紙Ｑ）の伸び量Ｍは、搬送方向Ｘ最下流側と最上流側とで異なり、前記のような印刷用データ作成装置において処理される印刷用データ作成時での位置補正を行う従来の印刷手法では、前記のファンアウトが生じるといった問題については、あるグループ単位（頁単位）での考慮しかされておらず、印刷用データを構成するすべてに対しての考慮がされていないので、正確には対応できていないのが実情である。なお、図８中Ｍはブラック画像印刷時の伸び量を示している。
【０００９】
本発明は、前記問題に鑑みてなされたもので、ＣＴＰ印刷を行うにあたり、印刷版作成装置におけるイメージング装置の位置補正の制御を行うことなく、従って、イメージング装置毎に補正する装置を設ける必要がなく、それだけ装置コストを低減させることができ、また、２値化（例えば網展開）された印刷版作成用データの印刷版を作成する際のイメージ位置を補正することなく、従って、印刷版作成の際のイメージ位置補正に起因する印刷品質の低下を防止することができ、さらに、被印刷体の搬送方向最下流側から最上流側にかけて搬送方向を横切る方向に次第に伸びる（台形状等に伸びる）現象、いわゆるファンアウトの発生に関わらず、先刷りの印刷画像と後刷りの印刷画像との位置を精度よく合わせることができる印刷版作成用データ生成方法及び印刷版作成用データ生成装置並びに印刷版作成用データ生成プログラム及び当該印刷版作成用データ生成プログラムを記録したコンピュータ読み取り可能な記録媒体を提供することを課題とする。
【００１０】
【特許文献１】特表平６−５０７３５３号公報（特許第３０９１４８９号公報）
【特許文献２】特開平９−１０９３５６号公報（特許第３３０３６２８号公報）
【特許文献３】特開平９−２５８４２４号公報
【特許文献４】特開平９−３２３４７１号公報
【特許文献５】特開２００２−２９０３２号公報
【特許文献６】特開２００２−６７２６８号公報
【特許文献７】特開２００２−３６１８１７号公報
【課題を解決するための手段】
【００１１】
本発明は前記課題を解決するため、次の印刷版作成用データ生成方法及び印刷版作成用データ生成装置並びに印刷版作成用データ生成プログラム及び記録媒体を提供する。
【００１２】
（１）印刷版作成用データ生成方法
複数の印刷画像（例えば、シアン色（Ｃ）、マゼンタ色（Ｍ）、イエロー色（Ｙ）及びブラック色（Ｋ）のような互いに異なる複数の基本色の印刷画像）にそれぞれ対応する複数の印刷版を用いて被印刷体に当該複数の印刷画像を順次印刷するにあたり（例えば、多色印刷機で印刷するにあたり）、当該複数の印刷版を作成するための印刷版作成用データを生成する方法であって、前記複数の印刷版による前記複数の印刷画像の前記被印刷体へのそれぞれの印刷について、各印刷がなされるときの当該被印刷体における（印刷体の変形の形状を示す複数の点での）伸縮すべき方向の伸縮量に対する補正値を予め記憶しておく記憶ステップと、前記複数の印刷画像に対応する印刷用データを印刷版作成用多値データに変換する変換ステップと、前記変換ステップにて変換された前記印刷版作成用多値データについて、前記記憶ステップにて予め記憶しておいた前記補正値に基づいて、前記伸縮すべき方向に対応する方向の伸縮補正を行う補正ステップと、前記補正ステップにて伸縮補正された前記印刷版作成用多値データを、網点化された印刷版作成用２値データに変換する２値化処理ステップとを含むことを特徴とする印刷版作成用データ生成方法。
【００１３】
（２）印刷版作成用データ生成装置
複数の印刷画像（例えば、シアン色（Ｃ）、マゼンタ色（Ｍ）、イエロー色（Ｙ）及びブラック色（Ｋ）のような互いに異なる複数の基本色の印刷画像）にそれぞれ対応する複数の印刷版を用いて被印刷体に当該複数の印刷画像を順次印刷するにあたり（例えば、多色印刷機で印刷するにあたり）、当該複数の印刷版を作成するための印刷版作成用データを生成する装置であって、前記複数の印刷版による前記複数の印刷画像の前記被印刷体へのそれぞれの印刷について、各印刷がなされるときの当該被印刷体における伸縮すべき方向の伸縮量に対する補正値を予め記憶しておく記憶手段と、前記複数の印刷画像に対応する印刷用データを印刷版作成用多値データに変換する変換手段と、前記変換手段にて変換された前記印刷版作成用多値データについて、前記記憶手段にて予め記憶しておいた前記補正値に基づいて、前記伸縮すべき方向に対応する方向の伸縮補正を行う補正手段と、前記補正手段にて伸縮補正された前記印刷版作成用多値データを、網点化された印刷版作成用２値データに変換する２値化処理手段とを備えることを特徴とする印刷版作成用データ生成装置。
【００１４】
（３）印刷版作成用データ生成プログラム
前記本発明に係る印刷版作成用データ生成方法の各ステップをコンピュータに実行させるための印刷版作成用データ生成プログラム。
【００１５】
（４）記録媒体
前記本発明に係る印刷版作成用データ生成プログラムを記録したコンピュータ読み取り可能な記録媒体。
【００１６】
本発明に係る印刷版作成用データ生成方法及び印刷版作成用データ生成装置並びに印刷版作成用データ生成プログラム及び記録媒体において用いられる前記印刷用データとしては、ＣＴＰ印刷における印刷用データ作成装置（例えば、コンピュータにレイアウト編集ソフト等を搭載したもの）にて作成される印刷用データ、代表的には、アドビシステムズ社のＰｏｓｔＳｃｒｉｐｔ（登録商標）等のページ記述言語による印刷用データを例示できる。
【００１７】
本発明に係る印刷版作成用データ生成方法及び印刷版作成用データ生成装置並びに印刷版作成用データ生成プログラム及び記録媒体において、前記補正ステップ及び補正手段にて伸縮補正処理がなされたあと、２値化（例えば網点化）処理される。
【００１８】
本発明に係る印刷版作成用データ生成方法及び印刷版作成用データ生成装置並びに印刷版作成用データ生成プログラム及び記録媒体において生成され、２値化（例えば網点化）処理された印刷版作成用２値化データは、例えば、ＣＴＰ印刷における印刷版作成装置、印刷機において版を作成するオンプレス方式のＤＩ印刷機に備えられる印刷版作成装置にて処理され、該印刷版作成用２値化データに基づいて、複数の印刷版が作成される。前記の印刷版作成装置において、印刷版の作成は、例えば、未作成の刷版や製版フィルムに、前記印刷版作成用２値化データに基づいて、レーザービーム等が所定の副走査方向及び該副走査方向を横切る主走査方向に走査されることでなされる。
【００１９】
このように本発明に係る印刷版作成用データ生成方法及び印刷版作成用データ生成装置並びに印刷版作成用データ生成プログラム及び記録媒体では、ＣＴＰ印刷における印刷版作成装置やＤＩ印刷機に備えられる印刷版作成装置による印刷版の作成に先立って、印刷版作成用データの伸縮補正を行うので、印刷版作成装置におけるイメージング装置の位置補正の制御を行わなくてもよい。従って、イメージング装置毎に補正する装置を設ける必要がなく、それだけ装置コストを低減させることができる。また、印刷版作成用データの２値化処理に先立って、印刷版作成用データの伸縮補正を行い、２値化処理を行うので、２値化された印刷版作成用２値化データの印刷版を作成する際のイメージ位置を補正しなくてもよい。従って、印刷版作成の際のイメージ位置補正に起因する印刷品質の低下を防止することができる。
【００２０】
また、前記補正ステップ及び前記補正手段において、前記変換ステップ及び前記変換手段にて変換された前記印刷版作成用データについて、前記変換ステップ及び前記記憶手段にて予め記憶しておいた前記補正値に基づいて、前記伸縮すべき方向に対応する方向の伸縮補正を行うので、例えば、被印刷体の搬送方向最下流側から最上流側にかけて搬送方向を横切る方向に次第に伸びる現象、いわゆるファンアウトが発生しても、被印刷体の搬送方向最下流側から最上流側にかけて搬送方向を横切る方向に伸びる補正を行うことにより、先刷りの印刷画像と後刷りの印刷画像との位置を精度よく合わせることができる。
【００２１】
本発明に係る印刷版作成用データ生成方法及び装置において、前記記憶ステップ及び前記記憶手段では、前記複数の印刷版による前記複数の印刷画像の前記被印刷体へのそれぞれの印刷について、各印刷がなされるときの当該被印刷体における所定の第１方向に沿う複数の位置に対する前記第１方向を横切る所定の第２方向の伸縮すべき伸縮量に対する補正値を予め記憶しておき、前記変換ステップ及び前記変換手段では、前記複数の印刷画像に対応する印刷用データについて、それぞれが前記第２方向に対応する第２’方向に沿って複数画素並設される画素のラインが前記第１方向に対応する第１’方向に沿って複数ライン配置される画素データからなる印刷版作成用多値データに変換し、前記補正ステップ及び前記補正手段では、前記変換ステップ及び前記変換手段にて変換された前記印刷版作成用多値データについて、各ラインに対応する前記記憶ステップ及び前記記憶手段にて予め記憶しておいた前記補正値に基づいて、当該ラインにおける前記第２’方向の伸縮補正を行う場合を例示できる。この場合、例えば、前記印刷版作成用データの前記第１’方向は前記レーザービーム等の走査の副走査方向とし、前記印刷版作成用データの前記第２’方向は前記レーザービーム等の走査の主走査方向とすることができる。
【００２２】
この場合の本発明に係る印刷版作成用データ生成方法及び装置において、前記補正ステップ及び前記補正手段にて行われる伸縮補正の具体的態様としては、例えば、前記変換ステップ及び前記変換手段にて変換された前記印刷版作成用多値データについて、各ラインに対応する前記補正値が伸び量に対する補正値であるときは、当該伸び量に対する補正値から当該ラインにおいて前記第２’方向に沿って増やす画素の画素数を算出するとともに当該増やす画素を当該ラインにおいて均等乃至略均等に挿入し、このとき当該挿入する画素データの値を当該挿入される位置の前記第２’方向に隣り合う周辺画素データの値に基づいて決定する一方、各ラインに対応する前記補正値が縮み量に対する補正値であるときは、当該縮み量に対する補正値から当該ラインにおいて前記第２’方向に沿って減らす画素の画素数を算出するとともに当該減らす画素を当該ラインにおいて均等乃至略均等に間引く処理を行う場合を挙げることができる。こうすることで、元の印刷画像を実質的に維持しつつ伸縮補正を行うことができる。なお、前記の各ラインに対応する前記補正値が伸び量に対する補正値であるときは、当該挿入する画素データの値は、当該挿入される位置の前記第２’方向に隣り合う一方の画素データの値から他方の画素データの値のうちいずれかの値にすることが好ましい。例えば、前記一方の画素データの値と前記他方の画素データの値との平均値を挙げることができる。
【００２３】
前記記憶ステップ及び前記記憶手段において、予め記憶しておく前記補正値としては、各印刷がなされるときの当該被印刷体における前記第１方向に沿う複数の位置であって前記印刷版作成用データの複数のラインに対応する複数の位置に対する前記第２方向の伸縮すべき伸縮量に対する補正値を例示できる。また、例えば、被印刷体が所定の搬送方向（前記第１方向）に搬送される場合において、各印刷がなされるときの当該被印刷体の搬送方向（前記第１方向）最下流側から最上流側にかけて当該被印刷体が搬送方向（前記第１方向）を横切る方向（前記第２方向）に次第に伸びる（台形状に伸びる）というように、当該被印刷体の伸縮形態が特定されるときには、予め記憶しておく前記補正値は、各印刷がなされるときの当該被印刷体における前記第１方向に沿う複数の位置であって前記印刷版作成用データの複数のラインより少ない数のライン（例えば、搬送方向（前記第１方向）に対応する前記第１’方向最下流側のラインと最上流側のラインとの二つのライン）に対応する複数の位置に対する前記第２方向の伸縮すべき伸縮量に対する補正値であってもよい。こうすることで、前記記憶ステップ及び前記記憶手段において記憶される記憶容量を少なくすることができる。
【００２４】
また、前記記憶ステップ及び前記記憶手段において、予め記憶しておく前記補正値は、例えば、前記伸縮量を被印刷体の前記第２方向における正規の（換言すれば印刷前の）寸法で割った値（すなわち伸縮率）とすることができる。いずれにしても前記補正値は、例えば、印刷に使用する被印刷体を用いて試し刷りを行い、該試し刷りされた被印刷体について、目視により求められ、手入力されることで記憶されてもよいし、所定の補正値検出装置を用いて求められ、自動的に入力されることで記憶されてもよい。また、実験等により、被印刷体（例えば、印刷用紙）の質（種類）、印刷の際の被印刷体に加わる力、或いは使用する水の量等の印刷条件に応じて予め求められ、これら印刷条件毎に記憶されてもよい。この場合、印刷にあたって、当該印刷に適合する印刷条件を選択し、当該選択された印刷条件に対応する補正値を読み出すようにすればよい。さらに言えば、本発明の印刷版作成用データ生成方法及び装置において、印刷条件（例えば、紙の種類、厚さ、サイズ、使用するインクの種類、インクの量、水の量等）を検知する印刷条件検知ステップ及び手段をさらに含み、前記記憶ステップ及び手段では、前記補正値と前記印刷条件の関係を予め登録しておき、前記補正ステップ及び手段では、前記印刷条件検知ステップ及び手段にて検知された前記印刷条件から前記記憶ステップ及び手段にて記憶された該印刷条件に対応する前記補正値を自動的に選択し、当該選択された補正値に基づいて伸縮補正を行ってもよい。
【発明の効果】
【００２５】
以上説明したように本発明によると、ＣＴＰ印刷を行うにあたり、印刷版作成装置におけるイメージング装置の位置補正の制御を行うことなく、従って、イメージング装置毎に補正する装置を設ける必要がなく、それだけ装置コストを低減させることができ、また、２値化（例えば網展開）された印刷版作成用データの印刷版を作成する際のイメージ位置を補正することなく、従って、印刷版作成の際のイメージ位置補正に起因する印刷品質の低下を防止することができ、さらに、被印刷体の搬送方向最下流側から最上流側にかけて搬送方向を横切る方向に次第に伸びる（台形状に伸びる）現象、いわゆるファンアウトの発生に関わらず、先刷りの印刷画像と後刷りの印刷画像との位置を精度よく合わせることができる印刷版作成用データ生成方法及び印刷版作成用データ生成装置並びに印刷版作成用データ生成プログラム及び当該印刷版作成用データ生成プログラムを記録したコンピュータ読み取り可能な記録媒体を提供することができる。
【発明を実施するための最良の形態】
【００２６】
以下、本発明に係る実施の形態について図面を参照しながら説明する。図１は本発明に係る印刷版作成用データ生成方法を実施する印刷版作成用データ生成装置の一例２０を備えたＣＴＰ印刷システム１００の概略構成図である。
【００２７】
図１に示すＣＴＰ印刷システム１００は、印刷用データ作成装置１０、前記の印刷版作成用データ生成装置２０及びＤＩ印刷機５０を備えており、印刷用データ作成装置１０が印刷版作成用データ生成装置２０を介してネットワーク経由でＤＩ印刷機５０に接続されている。このＣＴＰ印刷システム１００では、ＤＩ印刷機５０にて複数の印刷画像にそれぞれ対応する複数の印刷版、本例では、シアン色（Ｃ）、マゼンタ色（Ｍ）、イエロー色（Ｙ）及びブラック色（Ｋ）の互いに異なる４種類の基本色の印刷画像にそれぞれ対応する四つの印刷版が作成されるとともに該作成された印刷版で被印刷体（例えば印刷用紙Ｑ）に当該４種類の印刷画像が順次印刷される。
【００２８】
印刷用データ作成装置１０は、本例では、コンピュータにレイアウト編集ソフト等を搭載したものであり、前記４種類の印刷画像に対応する印刷用データであってアドビシステムズ社のＰｏｓｔＳｃｒｉｐｔ（登録商標）による印刷用データＰＤを作成することができるものである。
【００２９】
印刷版作成用データ生成装置２０は、コンピュータに印刷版作成用データ生成プログラムＰ（本例では、ソフトウェアＲＩＰ）を搭載したものであり、装置１０から送信されてくる印刷用データＰＤを複数の印刷版作成用データ、本例では、シアン印刷版作成用２値化データＡＤｃ、マゼンタ印刷版作成用２値化データＡＤｍ、イエロー印刷版作成用２値化データＡＤｙ、ブラック印刷版作成用２値化データＡＤｋの四つの印刷版作成用データにＲＩＰ展開し、該ＲＩＰ展開された印刷版作成用データＡＤｃ，ＡＤｍ，ＡＤｙ，ＡＤｋを生成するサーバＲＩＰを構成している。
【００３０】
また、ＤＩ印刷機５０は、機内において版を作成可能なオンプレス方式の印刷機であり、印刷版作成装置４０ｙ，４０ｍ，４０ｃ、４０ｋを備えている。この印刷版作成装置４０ｙ，４０ｍ，４０ｃ，４０ｋは、ＲＩＰ２０から送信されてくるＲＩＰ展開された四つの印刷版作成用データＡＤｃ，ＡＤｍ，ＡＤｙ，ＡＤｋに基づいて、それぞれシアン用印刷版Ａｃ、マゼンタ用印刷版Ａｍ、イエロー用印刷版Ａｙ、ブラック用印刷版Ａｋの四つの印刷版を作成することができる。印刷版作成装置４０ｙ，４０ｍ，４０ｃ，４０ｋによる印刷版Ａｃ，Ａｍ，Ａｙ，Ａｋの作成は、例えば、該装置４０ｙ，４０ｍ，４０ｃ，４０ｋにそれぞれ設けられた、未作成の刷版に印刷画像に対応する画像を形成するイメージング装置４１により、該未作成の刷版に、印刷版作成用データＡＤｃ，ＡＤｍ，ＡＤｙ，ＡＤｋに基づいて、レーザービームが所定の副走査方向及び該副走査方向を横切る主走査方向に走査されることでなされる。
【００３１】
以上説明したＣＴＰ印刷システム１００では、印刷用データ作成装置１０にて印刷画像に対応する印刷用データＰＤを作成し、該作成された印刷用データＰＤに基づいて、ＲＩＰ２０にてＲＩＰ展開された印刷版作成用データＡＤｃ，ＡＤｍ，ＡＤｙ，ＡＤｋをそれぞれ生成し、さらに、該生成された印刷版作成用データＡＤｃ，ＡＤｍ，ＡＤｙ，ＡＤｋに基づいて、印刷版作成装置４０ｃ，４０ｍ，４０ｙ，４０ｋを備えたＤＩ印刷機５０にて印刷版Ａｃ，Ａｍ，Ａｙ，Ａｋを作成するとともに該作成された各印刷版Ａｃ，Ａｍ，Ａｙ，Ａｋで被印刷体（例えば印刷用紙Ｑ）に順次印刷を行う。なお、本例のＤＩ印刷機５０では、図８に示すように、印刷用紙Ｑが所定の搬送方向（第１方向Ｘ）に搬送される場合において、各印刷がなされるときの当該印刷用紙Ｑの搬送方向（第１方向Ｘ）最下流側から最上流側にかけて当該印刷用紙Ｑが搬送方向（第１方向Ｘ）を横切る方向（第２方向Ｙ）に次第に伸びる（台形状に伸びる）ことがあり、この場合、当該印刷用紙Ｑの伸縮形態は特定されている。
【００３２】
このように、ＣＴＰ印刷システム１００において設けられるＲＩＰ２０が印刷版作成用データＡＤｃ，ＡＤｍ，ＡＤｙ，ＡＤｋを生成するのであるが、かかるＲＩＰ２０について、図２を参照しながらさらに詳しく説明する。
【００３３】
図２に図１に示すＲＩＰ２０の概略ブロック図を示す。図２に示すように、ＲＩＰ２０は、中央処理装置１、メインメモリ２、ファイル装置３、入力装置４及び入力ポート５及び出力ポート６を備えており、入力ポート５に接続された印刷用データ作成装置１０から送られてくる印刷用データＰＤに基づいて、印刷版作成用データＡＤｃ，ＡＤｍ，ＡＤｙ，ＡＤｋを生成し、該生成された印刷版作成用データＡＤｃ，ＡＤｍ，ＡＤｙ，ＡＤｋを出力ポート６からＤＩ印刷機５０に送ることができる。
【００３４】
入力装置４は、前記の印刷版作成用データ生成プログラムＰを記録したコンピュータ読み取り可能な記録媒体７からのプログラム情報を読み出すことができる読出部４ａと、マウスやキーボード等の入力部４ｂとを備えている。ファイル装置３は、前記記録媒体７から読み出されたプログラム情報を記録することができるとともに、かかるプログラムＰに利用され得る、後述する補正値（もしくは補正値と印刷条件の関係）を予め記憶しておくことができる。メインメモリ２は、ファイル装置３に記録されたプログラム情報を読込むことができ、プログラム作業領域を有している。また、中央処理装置１は、メインメモリ２に読み込まれた印刷版作成用データ生成プログラムＰに基づいて印刷版作成用データＡＤｃ，ＡＤｍ，ＡＤｙ，ＡＤｋを生成することができる。
【００３５】
前記印刷版作成用データ生成プログラムＰは、図１に示すように、前記コンピュータを、印刷条件検知手段Ｐ０と、記憶手段Ｐ１と、変換手段Ｐ２と、補正手段Ｐ３と、２値化処理手段Ｐ４とを含む手段として機能させるためのものである。
【００３６】
印刷条件検知手段Ｐ０では、印刷条件（例えば、紙の種類、厚さ、サイズ、使用するインクの種類、インクの量、水の量等）を検知する。この検知手段については公知の各種手段を適用でき、ここでは説明を省略する。変換手段Ｐ２では、印刷用データ作成装置１０からの印刷画像に対応する印刷用データＰＤを、印刷版作成用データを作成するための多値のビットマップデータに変換する。さらに言えば、印刷用データ作成装置１０からの印刷画像に対応する印刷用データＰＤをインタープリターによって解析（インタープリット）し、描画や塗りつぶし等を行うレンダリングによって出力装置に対応した印刷版作成用データ（本例ではビットマップ展開されたラスターデータ）を作成するための多値のビットマップデータに変換する。さらに説明すると、印刷用データ作成装置１０からの印刷画像に対応する印刷用データＰＤについて、図３に示すように、それぞれが印刷用紙Ｑの前記第２方向Ｙ（図８参照）に対応する第２’方向（図３中Ｙ’方向）に沿ってｍ画素（ｍは２以上の整数）並設される画素のラインが印刷用紙Ｑの前記第１方向Ｘ（図８参照）に対応する第１’方向（図３中Ｘ’方向）に沿ってｎ（ｎは２以上の整数）ラインＬ’（ｊ）（ｊ＝１〜ｎ）配置される画素データＤ（ｉ，ｊ）（ｉ＝１〜ｍ，ｊ＝１〜ｎ）からなる印刷版作成用多値データＡＤｃ’，ＡＤｍ’，ＡＤｙ’，ＡＤｋ’にそれぞれ変換する。
【００３７】
記憶手段Ｐ１では、印刷版による印刷画像の印刷用紙Ｑへのそれぞれの印刷について、各印刷がなされるときの当該印刷用紙Ｑにおける伸縮すべき方向の伸縮量に対する補正値を予め記憶しておく。さらに説明すると、各印刷がなされるときの当該印刷用紙Ｑにおける第１方向Ｘに沿う複数の位置に対する第１方向Ｘを横切る所定の第２方向Ｙの伸縮すべき伸縮量に対する補正値を前記ファイル装置３に予め記憶しておく。さらに言えば、前記補正値と前記印刷条件の関係を予め登録しておく。そして本例では、図４（Ａ）から図４（Ｄ）に示すように、既述の通り、シアン画像印刷、マゼンタ画像印刷、イエロー画像印刷及びブラック画像印刷の各印刷がなされるときの当該印刷用紙Ｑの伸縮形態が特定されているので、前記ファイル装置３に予め記憶しておく前記補正値は、各印刷がなされるときの当該印刷用紙Ｑにおける第１方向Ｘに沿う複数の位置であって図３に示す印刷版作成用データＡＤｃ’，ＡＤｍ’，ＡＤｙ’，ＡＤｋ’の複数のラインＬ’（１）〜Ｌ’（ｎ）より少ない数のライン（本例では、図３の第１’方向Ｘ’最下流側のラインＬ’（１）と最上流側のラインＬ’（ｎ）との二つのライン）に対応する二つの位置Ｌ（１），Ｌ（ｎ）に対する第２方向Ｙの伸縮すべき伸縮量に対する補正値Ｈｃ（１）とＨｃ（ｎ），Ｈｍ（１）とＨｍ（ｎ），Ｈｙ（１）とＨｙ（ｎ），Ｈｋ（１）とＨｋ（ｎ）である。
【００３８】
この記憶手段Ｐ１において、前記ファイル装置３に予め記憶しておく前記補正値は、本例では、前記伸縮量を印刷用紙Ｑの第２方向Ｙにおける正規の（換言すれば印刷前の）寸法で割った値（すなわち伸縮率）としている。
【００３９】
補正手段Ｐ３では、変換手段Ｐ２にて変換された印刷版作成用多値データＡＤｃ’，ＡＤｍ’，ＡＤｙ’，ＡＤｋ’のそれぞれについて、記憶手段Ｐ１にて予め記憶しておいた前記補正値に基づいて、前記伸縮すべき方向に対応する方向の伸縮補正を行う。さらに言えば、印刷条件検知手段Ｐ０にて検知された前記印刷条件から記憶手段Ｐ１にて記憶された該印刷条件に対応する前記補正値を自動的に選択し、当該選択された各ラインＬ’（１）〜Ｌ’（ｎ）に対応する前記補正値に基づいて、当該ラインにおける第２’方向Ｙ’の伸縮補正を行う。さらに説明すると、本例では、印刷用紙Ｑが第２方向Ｙに次第に伸び（台形状に伸び）るので、先ず、予め記憶しておいた印刷用紙Ｑの前記二つの位置Ｌ（１），Ｌ（ｎ）における伸縮率Ｈｃ（１）とＨｃ（ｎ），Ｈｍ（１）とＨｍ（ｎ），Ｈｙ（１）とＨｙ（ｎ），Ｈｋ（１）とＨｋ（ｎ）について次の式（１）〜式（４）を用いて各ラインＬ’（ｊｊ）に対応する伸縮率Ｈｃ（ｊｊ），Ｈｍ（ｊｊ），Ｈｙ（ｊｊ），Ｈｋ（ｊｊ）（ｊｊ＝２〜ｎ−１）を求める。
【００４０】
Ｈｃ（ｊｊ）＝Ｈｃ（１）＋ｊｊ×[Ｈｃ（ｎ）−Ｈｃ（１）]／（ｎ−１）  …式（１）
Ｈｍ（ｊｊ）＝Ｈｍ（１）＋ｊｊ×[Ｈｍ（ｎ）−Ｈｍ（１）]／（ｎ−１）  …式（２）
Ｈｙ（ｊｊ）＝Ｈｙ（１）＋ｊｊ×[Ｈｙ（ｎ）−Ｈｙ（１）]／（ｎ−１）  …式（３）
Ｈｋ（ｊｊ）＝Ｈｋ（１）＋ｊｊ×[Ｈｋ（ｎ）−Ｈｋ（１）]／（ｎ−１）  …式（４）
ここで、ｎは、既述のとおり、２以上の整数
【００４１】
次に、各ラインＬ’（１）〜Ｌ’（ｎ）に対応する伸縮率Ｈ（１）〜Ｈ（ｎ）が伸び率であるときは、当該伸び率から当該ラインにおいて第２’方向Ｙ’に沿って増やす画素の画素数Ｅｃ（ｊ），Ｅｍ（ｊ），Ｅｙ（ｊ），Ｅｋ（ｊ）（ｊ＝１〜ｎ）を次の式（５）〜式（８）を用いて算出するとともに当該増やす画素を当該ラインにおいて均等乃至略均等に挿入する処理を行う。なお、式中の“｜｜”は絶対値記号を示す。
【００４２】
Ｅｃ（ｊ）＝ｍ×｜Ｈｃ（ｊ）−１｜  …式（５）
Ｅｍ（ｊ）＝ｍ×｜Ｈｍ（ｊ）−１｜  …式（６）
Ｅｙ（ｊ）＝ｍ×｜Ｈｙ（ｊ）−１｜  …式（７）
Ｅｋ（ｊ）＝ｍ×｜Ｈｋ（ｊ）−１｜  …式（８）
ここで、ｍは、既述のとおり、２以上の整数
【００４３】
このとき各ラインＬ’（１）〜Ｌ’（ｎ）について、当該挿入する画素データの値を当該挿入される位置の第２’方向Ｙ’に隣り合う周辺画素データの値等に基づいて決定する。さらに説明すると、図５に示すように、当該挿入する画素データの値Ｄａは、当該挿入される位置の前記第２’方向Ｙ’に隣り合う一方の画素データの値Ｄｂから他方の画素データの値Ｄｃのうちいずれかの値、本例では、前記一方の画素データの値Ｄｂと前記他方の画素データの値Ｄｃとの平均値（Ｄｂ＋Ｄｃ）／２としている。
【００４４】
一方、各ライン各ラインＬ’（１）〜Ｌ’（ｎ）に対応する伸縮率Ｈ（１）〜Ｈ（ｎ）が縮み率であるときは、当該縮み率から当該ラインにおいて第２’方向Ｙ’に沿って減らす画素の画素数Ｅｃ（ｊ），Ｅｍ（ｊ），Ｅｙ（ｊ），Ｅｋ（ｊ）（ｊ＝１〜ｎ）を前記の式（５）〜式（８）を用いて算出するとともに当該減らす画素を当該ラインにおいて均等乃至略均等に間引く処理を行う。
【００４５】
２値化処理手段Ｐ４では、補正手段Ｐ３にて伸縮補正された印刷版作成用多値データＡＤｃ’，ＡＤｍ’，ＡＤｙ’，ＡＤｋ’についてそれぞれ網点化処理を行い、印刷版作成用２値化データＡＤｃ，ＡＤｍ，ＡＤｙ，ＡＤｋを作成する。なお、この網点化処理は従来周知の処理であり、ここでは詳しい説明を省略する。
【００４６】
なお、このＲＩＰ２０にて生成された印刷版作成用データＡＤｃ，ＡＤｍ，ＡＤｙ，ＡＤｋについて、第１’方向Ｘ’は、前記印刷版作成装置４０ｙ，４０ｍ，４０ｃ，４０ｋにおけるイメージング装置４１のレーザービーム走査の副走査方向としており、第２’方向Ｙ’は、イメージング装置４１のレーザービーム走査の主走査方向としている。
【００４７】
図６は印刷版作成用データ生成プログラムＰによる処理の流れを示すフローチャートである。このプログラムＰでは、印刷条件検知手段Ｐ０により、印刷条件が検知され（ステップＳ０）、印刷用データ作成装置１０からの印刷用データＰＤが、図１に示すように、変換手段Ｐ２により、それぞれが第２’方向Ｙ’に沿ってｍ画素並設される画素のラインが第１’方向Ｘ’に沿ってｎラインＬ’（ｊ）配置される画素データＤ（ｉ，ｊ）（ｉ＝１〜ｍ，ｊ＝１〜ｎ）（図３も参照）からなる印刷版作成用多値データＡＤｃ’，ＡＤｍ’，ＡＤｙ’，ＡＤｋ’に変換され（ステップＳ１）、該変換された印刷版作成用多値データＡＤｃ’，ＡＤｍ’，ＡＤｙ’，ＡＤｋ’が、補正手段Ｐ３により、伸縮補正される（ステップＳ２〜Ｓ９）。
【００４８】
すなわち、先ず、印刷条件検知手段Ｐ０にて検知された前記印刷条件から記憶手段Ｐ１にて予め記憶された該印刷条件に対応する前記補正値を自動的に選択し、当該選択された印刷用紙Ｑの前記二つの位置Ｌ（１），Ｌ（ｎ）に対する伸縮率Ｈｃ（１）とＨｃ（ｎ），Ｈｍ（１）とＨｍ（ｎ），Ｈｙ（１）とＨｙ（ｎ），Ｈｋ（１）とＨｋ（ｎ）を読み出し（ステップＳ２）、当該伸縮率について前記の式（１）〜式（４）を用いて各ラインＬ’（ｊｊ）（ｊｊ＝２〜ｎ−１）に対応する伸縮率Ｈｃ（ｊｊ），Ｈｍ（ｊｊ），Ｈｙ（ｊｊ），Ｈｋ（ｊｊ）を求める（ステップＳ３）。
【００４９】
次に、各ラインＬ’（ｊ）に対応する伸縮率Ｈｃ（ｊ），Ｈｍ（ｊ），Ｈｙ（ｊ），Ｈｋ（ｊ）が伸び率であるときは（ステップＳ４）、当該伸び率から当該ラインにおいて第２’方向Ｙ’に沿って増やす画素の画素数Ｅｃ（ｊ），Ｅｍ（ｊ），Ｅｙ（ｊ），Ｅｋ（ｊ）を前記の式（５）〜式（８）を用いて算出し（ステップＳ５）、さらに、当該増やす画素を当該ラインにおいて均等乃至略均等に挿入する（ステップＳ６）。このとき、図５に示すように、当該挿入する画素データの値Ｄａとして、挿入される位置の前記第２’方向Ｙ’に隣り合う一方の画素データの値Ｄｂと他方の画素データの値Ｄｃとの平均値（Ｄｂ＋Ｄｃ）／２を求める（ステップＳ７）。
【００５０】
また、各ラインＬ’（ｊ）に対応する伸縮率Ｈｃ（ｊ），Ｈｍ（ｊ），Ｈｙ（ｊ），Ｈｋ（ｊ）が縮み率であるときは（ステップＳ４）、当該縮み率から当該ラインにおいて第２’方向Ｙ’に沿って減らす画素の画素数Ｅｃ（ｊ），Ｅｍ（ｊ），Ｅｙ（ｊ），Ｅｋ（ｊ）を前記の式（５）〜式（８）を用いて算出し（ステップＳ８）、当該減らす画素を当該ラインにおいて均等乃至略均等に間引く（ステップＳ９）。
【００５１】
そして、ステップＳ２〜Ｓ９にて伸縮補正された印刷版作成用多値データＡＤｃ’，ＡＤｍ’，ＡＤｙ’，ＡＤｋ’を、２値化処理手段Ｐ４によりそれぞれ網点化処理する（ステップＳ１０）。
【００５２】
以上説明したように、印刷版作成用データ生成装置２０及び印刷版作成用データ生成プログラムＰでは、ＤＩ印刷機５０に備えられる印刷版作成装置４０ｃ，４０ｍ，４０ｙ，４０ｋによる印刷版Ａｃ，Ａｍ，Ａｙ，Ａｋの作成に先立って、印刷版作成用多値データの伸縮補正を行うので、印刷版作成装置４０ｃ〜４０ｋにおけるイメージング装置４１の位置補正の制御を行わなくてもよい。従って、イメージング装置４１毎に補正する装置を設ける必要がなく、それだけ装置コストを低減させることができる。また、印刷版作成用多値データＡＤｃ’〜ＡＤｋ ’の２値化処理に先立って、印刷版作成用多値データＡＤｃ’〜ＡＤｋ ’の伸縮補正を行うので、２値化された印刷版作成用データＡＤｃ〜ＡＤｋの印刷版Ａｃ〜Ａｋを作成する際のイメージ位置を補正しなくてもよい。従って、印刷版作成の際のイメージ位置補正に起因する印刷品質の低下を防止することができる。これに対し、２値化データで補正したものは、オリジナルの物と比較して網点形状が変わってしまう。
【００５３】
また、補正手段Ｐ３において、変換手段Ｐ２にて変換された印刷版作成用多値データＡＤｃ’〜ＡＤｋ ’のそれぞれについて、記憶手段Ｐ１にて予め記憶しておいた前記補正値に基づいて、前記伸縮すべき方向に対応する方向の伸縮補正を行うので、本例では、各ラインＬ’（１）〜Ｌ’（ｎ）に対応する記憶手段Ｐ１にて予め記憶しておいた前記補正値に基づいて、当該ラインにおける第２’方向Ｙ’の伸縮補正を行うので、例えば、印刷用紙Ｑの搬送方向Ｘ最下流側から最上流側にかけて搬送方向Ｘを横切る方向Ｙに次第に伸びる現象、いわゆるファンアウトが発生しても、印刷用紙Ｑの搬送方向Ｘ最下流側から最上流側にかけて搬送方向Ｘを横切る方向Ｙに伸びる補正を行うので、先刷りの印刷画像と後刷りの印刷画像とを精度よく位置合わせすることができる。
【００５４】
従って、印刷版作成用データ生成装置２０及び印刷版作成用データ生成プログラムＰによると、ＣＴＰ印刷を行うにあたり、印刷版作成装置４０ｃ〜４０ｋにおけるイメージング装置４１の位置補正の制御を行うことなく、従って、イメージング装置４１毎に補正する装置を設ける必要がなく、それだけ装置コストを低減させることができ、また、２値化された印刷版作成用データＡＤｃ〜ＡＤｋの印刷版Ａｃ〜Ａｋを作成する際のイメージ位置を補正することなく、従って、印刷版作成の際のイメージ位置補正に起因する印刷品質の低下を防止することができ、さらに、印刷用紙Ｑの搬送方向Ｘ最下流側から最上流側にかけて搬送方向Ｘを横切る方向Ｙに次第に伸びる（台形状に伸びる）現象、いわゆるファンアウトの発生に関わらず、先刷りの印刷画像と後刷りの印刷画像とを精度よく位置合わせすることができる。
【００５５】
また、本例では、各ラインＬ’（１）〜Ｌ’（ｎ）に対応する前記補正値が伸び量に対する補正値であるときは、当該伸び量に対する増やす画素を当該ラインにおいて均等乃至略均等に挿入し、前記補正値が縮み量に対する補正値であるときは、当該縮み量に対する減らす画素を当該ラインにおいて均等乃至略均等に間引くので、元の印刷画像を実質的に維持しつつ伸縮補正を行うことができる。
【００５６】
さらに、本例では、予め記憶しておく前記補正値は、各印刷がなされるときの印刷用紙Ｑにおける第１方向Ｘに沿う複数の位置であって印刷版作成用データＡＤｃ’〜ＡＤｋ’の第１’方向Ｘ’最下流側のラインＬ’（１）と最上流側のラインＬ’（ｎ）との二つのラインに対応する二つ位置に対する第２方向Ｙの伸縮すべき伸縮量に対する補正値であるので、ファイル装置３の記憶容量を少なくすることができる。
【００５７】
なお、本例のＣＴＰ印刷システム１００では、印刷版作成装置４０ｃ，４ｏｍ，４０ｙ，４０ｋを備えたＤＩ印刷機５０を用いるが、勿論、印刷機とは別途配置された印刷版作成装置を用いて、印刷版作成用データＡＤｃ〜ＡＤｋに基づき、印刷版Ａｃ〜Ａｋを順次作成し、該作成された印刷版Ａｃ〜Ａｋを当該印刷機に設けることで印刷用紙Ｑに印刷を行うことでも前記と同様の効果を奏することができる。
【００５８】
また、本例では、印刷版作成用データについて、レーザービーム走査の主走査方向Ｙ’の伸縮補正を行うが、レーザービーム走査の副走査方向Ｘ’の伸縮補正を行ってもよい。また、本例では、シアン、マゼンタ、イエロー、ブラックの各印刷版作成用データＡＤｃ’〜ＡＤｋ’について伸縮補正を行うが、このうち少なくとも一つについて伸縮補正を行ってもよく、また、被印刷体Ｑが初期に画像が形成されていないもの、或いは初期に画像形成されていても該画像が印刷される画像の位置に対して位置合わせしなくてもよいようなものである場合には、第１回目の印刷のための印刷版作成用データＡＤｃ’について伸縮補正を省略してもよい。この場合、前記伸縮量を印刷用紙Ｑの第２方向Ｙにおける第１回目の印刷後の（換言すれば第２回目の印刷前の）寸法で割った値（すなわち伸縮率）としてもよい。
【図面の簡単な説明】
【００５９】
【図１】本発明に係る印刷版作成用データ生成方法を実施する印刷版作成用データ生成装置の一例を備えたＣＴＰ印刷システムの概略構成図である。
【図２】図１に示す印刷版作成用データ生成装置の一例（ＲＩＰ）の概略ブロック図である。
【図３】印刷版作成用多値データがビットマップ展開された状態を示す図である。
【図４】図（Ａ）〜図（Ｄ）はファイル装置に予め記憶しておく補正値であって、それぞれシアン画像印刷時、マゼンタ画像印刷時、イエロー画像印刷時及びブラック画像印刷時の補正値を説明するための図である。
【図５】各ラインについて一つの画素が挿入される状態を示す図である。
【図６】印刷版作成用データ生成プログラムＰによる処理の流れを示すフローチャートである。
【図７】従来のＣＴＰ印刷の概略構成を示す図であり、図（Ａ）及び図（Ｃ）に印刷版作成用データに基づき、印刷版作成装置を用いて、印刷版を作成し、該作成された印刷版を印刷機に設けることで被印刷体に印刷を行う構成を示し、図（Ｂ）に印刷版作成用データに基づき、印刷版作成装置を備えたＤＩ印刷機を用いて、印刷版を作成するとともに該作成された印刷版で被印刷体に印刷を行う構成を示す。
【図８】複数の印刷版を用いた印刷機で印刷された被印刷体（例えば印刷用紙）における伸びの状態の一例を説明するための図である。
【符号の説明】
【００６０】
２０…印刷版作成用データ生成装置  ５０…印刷機（ＤＩ印刷機）  ７…記録媒体
ＡＤｃ，ＡＤｍ，ＡＤｙ，ＡＤｋ…印刷版作成用データ
Ａｃ，Ａｍ，Ａｙ，Ａｋ…印刷版  Ｐ…印刷版作成用データ生成プログラム
Ｐ１…記憶手段  Ｐ２…変換手段  Ｐ３…補正手段  ＰＤ…印刷用データ  Ｑ…印刷用紙
Ｘ…第１方向  Ｘ’…第１’方向  Ｙ…第２方向  Ｙ’…第２’方向
【図１】
2005134604.tif 000003
【図２】
2005134604.tif 000004
【図３】
2005134604.tif 000005
【図４】
2005134604.tif 000006
【図５】
2005134604.tif 000007
【図６】
2005134604.tif 000008
【図７】
2005134604.tif 000009
【図８】
2005134604.tif 000010